(57)【要約】【課題】省電力モード中など受信準備が整っていない場合の着信においても外部電話機が設定回数以上鳴動することのない回線切替制御装置およびこれを用いたファクシミリ装置を提供する。【解決手段】ファクシミリ制御部２０は、全体制御部１１が省電力モード中に電話回線３の極性反転を検知したとき、リレースイッチ３７を開放して外部電話機４を電話回線３から切り離し、省電力モードからの復帰要求を全体制御部１１に送出する。全体制御部１１が省電力モードから復帰するとリレースイッチ３７を短絡して外部電話機４を電話回線３と接続する。着信検知手段２４は、外部電話機４の鳴動回数が設定回数に達したとき着信検知を全体制御部１１に通知する。その後、全体制御部１１からのオフフック要求に従ってＣＭＬリレー３２を切り替えて電話回線３をファクシミリ通信部１５に接続する。【選択図】図１
2005086755.tif 000002
【特許請求の範囲】
【請求項１】
電話回線の接続を外部電話機と受信装置本体とに切り替える回線切替制御装置において、
受信装置本体から接続要求を受けたとき電話回線の接続を外部電話機から前記受信装置本体側へと切り替える切替手段と、
前記電話回線の直流電圧の極性反転を検知する極性反転検知手段と、
前記受信装置本体が受信準備の整ったレディ状態にない場合に前記極性反転検知手段が極性反転を検知したとき、前記外部電話機を前記電話回線から切断する切断手段と、
前記受信装置本体がレディ状態にない場合に前記極性反転検知手段が極性反転を検知したとき、前記受信装置本体にレディ状態への復帰を要求する復帰要求手段と
を有する
ことを特徴とする回線切替制御装置。
【請求項２】
前記切断手段は、前記受信装置本体がレディ状態に復帰したとき、前記電話回線と前記外部電話機との切断を解除する
ことを特徴とする請求項１の回線切替制御装置。
【請求項３】
前記外部電話機が前記電話回線と接続されている状態で前記電話回線から到来した呼出信号の回数を計数し、設定回数に達したとき所定の着信検知信号を前記受信装置本体に送出する着信検知手段を有する
ことを特徴とする請求項１または２に記載の回線切替制御装置。
【請求項４】
前記レディ状態にない場合の１つに、前記受信装置本体が省電力モードに入っている場合を含む
ことを特徴とする請求項１、２または３に記載の回線切替制御装置。
【請求項５】
請求項１、２、３または４に記載の回線切替制御装置を有することを特徴とするファクシミリ装置。
【発明の詳細な説明】
【技術分野】
【０００１】
本発明は、電話回線を受信装置本体に接続された外部電話機と受信装置本体とに切り替える回線切替制御装置およびこれを有するファクシミリ装置に関する。
【背景技術】
【０００２】
従来のファクシミリ装置は、図４に示すような回路を備え、電話回線４０１の接続先をＣＭＬリレー４０２によって外部電話機４０３とファクシミリ通信部４０４とに切り替えるようになっている。ファクシミリ通信を行なっていないときは外部電話機４０３が使えるように電話回線４０１と外部電話機４０３とが接続される。
【０００３】
電話回線４０１から着信があったときのＣＭＬリレー４０２の切り替え制御は図５に示すシーケンスで行なわれる。着信時には、直流電圧の極性反転が最初に起こり、その後、交換機から図７に示すような周期で呼出信号５０１が送られてくる。このとき電話回線と接続されている外部電話機が呼出信号にあわせて鳴動する。呼出信号５０１は着信検知部４０５によって検知され、予め設定された回数の呼出信号を着信検知部４０５が検知したとき（図５では、２回）ファクシミリ制御部４０６から全体制御部４０７に着信検知が通知される。
【０００４】
これを受けた全体制御部４０７は、紙無しやメモリフルなどの障害が無く装置全体がファクシミリ受信可能な状態か否かを調べ、受信可能であれば、受信処理を起動し、オフフック要求をファクシミリ制御部４０６に通知する。この通知によりファクシミリ制御部４０６がＣＭＬリレー４０２をファクシミリ通信部４０４側に切り替えると、電話回線４０１がファクシミリ通信部４０４と接続され、以後、ファクシミリの受信動作が実行される。
【０００５】
また、紙無し等が原因でファクシミリ受信できないときに着信があった場合に、外部電話機の鳴動を最小限に抑えて執務環境の静粛性を確保するようにしたファクシミリ装置がある（たとえば、特許文献１参照。）。この装置では、呼出信号を検知したときにファクシミリ装置側の受信体勢が整っているか否かを判定する。そして、受信体勢が整っていない場合は電話回線をファクシミリ装置側に切り替えて外部電話機を切り離し、かつ直流ループが形成されないように電話回線の一部をリレーで開放するようになっている。
【０００６】
ところで、ファクシミリ装置は、いつでも着信できるように常に通電されるので、電力消費を少なくするために、待機中は、着信検知に係る部分等を除いて省電力モードに切り替えることが行なわれる。
【０００７】
【特許文献１】特開平７−２２１９５４号公報
【発明の開示】
【発明が解決しようとする課題】
【０００８】
図６に示すように、省電力モード中に着信があったとき、設定回数の呼出信号を検知してから省電力モードからの復帰動作５１１を開始すると、電話回線を外部電話機側からファクシミリ装置側に切り替えるタイミングが省電力モードからの復帰に要する時間分遅れてしまい、外部電話機が設定回数以上に鳴動してしまうという問題がある。図６の例では、２回の設定回数に対して３回目の鳴動が発生している。
【０００９】
仮に１回目の呼出信号を検知した時点で省電力モードからの復帰動作を開始しても、呼出の設定回数と復帰に要する時間の長さとの関係次第では、外部電話機が設定回数以上鳴動する場合が生じてしまう。さらに特許文献１のように呼出信号を検知した時点で外部電話機を電話回線から切り離したとしても、最初に少なくとも１回余計な鳴動が発生してしまう。
【００１０】
本発明は、上記の問題を解決しようとする課題にするものであり、省電力モード中など受信準備が整っていない場合の着信においても外部電話機が設定回数以上鳴動することのない回線切替制御装置およびこれを用いたファクシミリ装置を提供することを目的としている。
【課題を解決するための手段】
【００１１】
請求項１に係る発明は、電話回線（３）の接続を外部電話機（４）と受信装置本体（１５、１１）とに切り替える回線切替制御装置において、
受信装置本体（１５、１１）から接続要求を受けたとき電話回線（３）の接続を外部電話機（４）から前記受信装置本体（１５、１１）側へと切り替える切替手段（３２）と、
前記電話回線（３）の直流電圧の極性反転を検知する極性反転検知手段（２１、３３）と、
前記受信装置本体（１５、１１）が受信準備の整ったレディ状態にない場合に前記極性反転検知手段（２１、３３）が極性反転を検知したとき、前記外部電話機（４）を前記電話回線（３）から切断する切断手段（２３、３７）と、
前記受信装置本体（１５、１１）がレディ状態にない場合に前記極性反転検知手段（２１、３３）が極性反転を検知したとき、前記受信装置本体（１５、１１）にレディ状態への復帰を要求する復帰要求手段（２２）と
を有する
ことを特徴とする回線切替制御装置である。
【００１２】
上記発明によれば、受信装置本体（１５、１１）が受信準備の整ったレディ状態にない場合には極性反転を検知した時点で外部電話機（４）を電話回線（３）から切り離すとともに、受信装置本体（１５、１１）にレディ状態への復帰を要求する。加入者電話回線（３）においては、交換局から呼出信号が到来する直前に電話回線（３）の直流電圧の極性が反転する。そこで極性反転を検知した時点で外部電話機（４）を電話回線（３）から切断することで、外部電話機（４）を一度も鳴動させることなくレディ状態への復帰要求が受信装置本体（１５、１１）に送出される。これにより外部電話機（４）を１度も鳴動させずに受信装置本体（１５、１１）をレディ状態に復帰させることができる。
【００１３】
請求項２に係る発明は、前記切断手段（２３、３７）は、前記受信装置本体（１５、１１）がレディ状態に復帰したとき、前記電話回線（３）と前記外部電話機（４）との切断を解除する
ことを特徴とする請求項１の回線切替制御装置である。
【００１４】
上記発明によれば、受信装置本体（１５、１１）がレディ状態に復帰したとき、外部電話機（４）が再び電話回線（３）に接続される。これにより受信装置本体（１５、１１）が受信準備の体勢の整ったレディ状態になってから外部電話機（４）の鳴動が開始するので、その後いつでも電話回線（３）を受信装置本体（１５、１１）側に切り替えることができ、設定された鳴動回数を遵守することができる。
【００１５】
請求項３に係る発明は、前記外部電話機（４）が前記電話回線（３）と接続されている状態で前記電話回線（３）から到来した呼出信号の回数を計数し、設定回数に達したとき所定の着信検知信号を前記受信装置本体（１５、１１）に送出する着信検知手段（２４、３６）を有する
ことを特徴とする請求項１または２に記載の回線切替制御装置である。
【００１６】
上記発明によれば、着信検知手段（２４、３６）は、電話回線（３）から呼出信号が到来しても外部電話機（４）が電話回線（３）と切断されている場合は呼出信号を計数せず、外部電話機（４）が電話回線（３）と接続されている場合だけ呼出信号の到来回数を計数する。すなわち、外部電話機（４）が実際に鳴動した回数が設定回数に達したとき、着信検知信号が受信装置本体（１５、１１）に送出される。
【００１７】
請求項４に係る発明は、前記レディ状態にない場合の一つに、前記受信装置本体（１５、１１）が省電力モードに入っている場合を含む
ことを特徴とする請求項１、２または３に記載の回線切替制御装置である。
【００１８】
上記発明によれば、受信装置本体（１５、１１）が省電力モードに入っている状態で極性反転を検知したとき、外部電話機（４）が電話回線（３）から切断され、かつレディ状態への復帰要求が受信装置本体（１５、１１）に送出される。省電力モードとは、操作表示部の表示を消したり、ＣＰＵを割り込みのみ検知可能でその他の機能を休止させた状態にしたり、プリンタ部を休止させたりするなど、通常状態（レディ状態）に比べて電力消費が少なくなるように機能や動作を制限した状態をいう。
【００１９】
省電力モードに入っているためにレディ状態でない場合は、紙無しやメモリフルが原因の場合と異なり、復帰動作を開始すれば所定時間の経過後にレディ状態に戻る。そこで省電力モード中に極性反転を検知したとき、外部電話機（４）を電話回線（３）から切断しかつ復帰要求を受信装置本体（１５、１１）に送出することで、外部電話機（４）が鳴動する前に受信装置本体（１５、１１）がレディ状態に復帰し、当初からレディ状態で着信待機する場合と同じ鳴動回数で着信することができる。
【００２０】
請求項５に係る発明は、請求項１、２、３または４に記載の回線切替制御装置を有することを特徴とするファクシミリ装置である。
【発明の効果】
【００２１】
本発明に係る回線切替制御装置およびこれを用いたファクシミリ装置によれば、受信装置本体がレディ状態にない場合に電話回線の極性反転を検知したとき、外部電話機を電話回線から切断し、かつ受信装置本体にレディ状態への復帰を要求するので、外部電話機が１度も鳴動する前に受信装置本体にレディ状態への復帰を要求することができる。
【００２２】
受信装置本体がレディ状態に復帰したとき、電話回線と外部電話機との切断を解除するものでは、外部電話機が鳴動し始めたとき既に受信装置本体がレディ状態にあるので、いつでも電話回線を外部電話機から受信装置本体側に切り替えることができ、設定回数の鳴動を遵守することができる。特に省電力モードから復帰するまでの間に外部電話機が設定回数を超えて鳴り続けることを防止できる。
【発明を実施するための最良の形態】
【００２３】
以下、図面に基づき本発明の実施の形態を説明する。
【００２４】
図１は、本発明の実施の形態に係る回線切替制御装置を備えたファクシミリ装置１０の概略構成を示している。ファクシミリ装置１０には電話回線３と外部電話機４とが接続されている。全体制御部１１は、ファクシミリ装置１０の動作を統括制御する回路であり、図示省略のＣＰＵ（中央処理装置）とＲＯＭ（リード・オンリ・メモリ）とＲＡＭ（ランダム・アクセス・メモリ）とを主要部として構成される。全体制御部１１には、原稿画像を読み取る読取部１２と、記録紙上に画像データに対応する画像を形成して出力する印刷部１３と、ユーザに各種の案内情報や装置の動作状態を表示したりユーザから各種の入力操作を受け付けたりする機能を備えた操作表示部１４とが接続されている。
【００２５】
ファクシミリ装置１０は、動作モードとして、通常モードとこれよりも電力消費を少なくした省電力モードとを備えている。省電力モード中は、操作表示部１４が無表示になるとともに読取部１２や印刷部１３が休止状態になる。また全体制御部１１のＣＰＵはスタンバイモードになり、割り込みのみ検知可能で他の機能を休止等させた低消費電力動作状態になる。すなわち、省電力モードは、着信検知やスイッチ操作の有無を検知する機能など、ジョブの起動要求の入力有無を監視する機能だけを作動させ、他の機能に係る部分を休止させた状態になる。ここでは、ジョブの実行終了後、着信や入力操作が数分間に渡ってなかったとき、通常モードから省電力モードに自動的に移行するようになっている。
【００２６】
全体制御部１１には、ファクシミリ通信部１５とファクシミリ制御部２０とが接続されている。ファクシミリ通信部１５は、ファクシミリ送受信に係るプロトコル制御等を行なう。ファクシミリ制御部２０は、電話回線３の接続切替に係わる制御等を行なう回路部分である。
【００２７】
交換機２からの２線式の電話回線３は、接続端子などの接続点３１を介してＣＭＬリレー３２に接続される。ＣＭＬリレー３２は、電話回線３の接続をファクシミリ通信部１５の側（受信装置本体側）と外部電話機４の側とに切り替える切替手段としての機能を果たすリレースイッチである。外部電話機４は、もう１つの接続点３５を介してＣＭＬリレー３２に接続されている。接続点３１とＣＭＬリレー３２との間には電話回線３と並列に極性検知部３３が接続されている。また電流検知部３４が電話回線３に直列に介挿されている。極性検知部３３は、電話回線３を構成する２線間の直流電圧の極性を検知する。電流検知部３４は、電話回線３が閉成されて直流ループが形成されたことを検知する機能を果たす。
【００２８】
接続点３５とＣＭＬリレー３２との間には、交換機２から到来する呼出信号を検知する呼出信号検知部３６が、外部電話機４とＣＭＬリレー３２とを結ぶ２線に並列に接続されている。外部電話機４とＣＭＬリレー３２とを結ぶ２線のうちの一方のラインには、呼出信号検知部３６の接続箇所より接続点３５側の位置において当該ラインを短絡状態と切断状態とを切り換える切断手段としてのリレースイッチ３７が介挿されている。
【００２９】
ファクシミリ制御部２０には、極性検知部３３による極性の検知結果を示す極性検知信号４１と、電流検知部３４による直流ループ形成の検知結果を示すループ電流検知信号４２と、呼出信号検知部３６による呼出信号の検知結果を示す呼出検知信号４３とが入力される。電流検知部３４にはファクシミリ制御部２０の出力する外部電話接続信号４４が入力され、ＣＭＬリレー３２にはファクシミリ制御部２０の出力するオフフック信号４５が入力される。リレースイッチ３７は、外部電話接続信号４４がオンのとき切断状態になり、外部電話接続信号４４がオフのとき短絡状態になる。
【００３０】
ＣＭＬリレー３２は、オフフック信号４５がオフのとき電話回線３を外部電話機４に接続した状態になり、オフフック信号４５がオンのとき極性検知部３３とファクシミリ通信部１５とを接続する状態に切り替わる。ファクシミリ制御部２０は、全体制御部１１からオフフック要求を受けている間だけオフフック信号４５をオンにし、それ以外はオフフック信号４５をオフにするようになっている。ファクシミリ制御部２０は全体制御部１１からファクシミリ制御部２０の動作モードを示す情報やオフフック要求などの指示を受け取る一方、全体制御部１１に対して着信検知や省電力モードからの復帰要求などを出力するようになっている。
【００３１】
ファクシミリ制御部２０は、極性反転検知手段２１と、復帰要求手段２２と、切断制御手段２３と、着信検知手段２４としての機能を果たす。極性反転検知手段２１は、極性検知部３３から入力される極性検知信号４１に基づいて電話回線３の直流電圧の極性が反転したことを検知する。切断制御手段２３は、外部電話接続信号４４のオンオフを制御する機能を果たす。復帰要求手段２２は、全体制御部１１に対してレディ状態への復帰要求を送出する機能を果たす。着信検知手段２４は、リレースイッチ３７がオンの状態で呼出信号検知部３６から呼出検知信号４３が入力された回数を計数し、予め設定された回数に達したとき着信検知を全体制御部１１に通知する機能を果たす。
【００３２】
なおファクシミリ制御部２０とＣＭＬリレー３２と極性検知部３３と呼出信号検知部３６とリレースイッチ３７とにより回線切替制御装置としての機能が実現される。
【００３３】
次に、ファクシミリ装置１０が省電力モードに入っているときに着信があった場合の動作の流れを図２に基づいて説明する。全体制御部１１はファクシミリ装置１０が省電力モードに入るとき、その旨をファクシミリ制御部２０に通知する（Ｓ２０１）。ファクシミリ制御部２０は、この通知により全体制御部１１の現在の動作モードを把握するようになっている。着信シーケンスの最初に交換機２が電話回線３の極性を反転させると（Ｓ２０２）、極性検知部３３からの極性検知信号４１が変化し、これに基づいてファクシミリ制御部２０の極性反転検知手段２１が極性反転の発生を検知する。切断制御手段２３は、極性反転検知手段２１が極性反転を検知したとき全体制御部１１が省電力モード中か否かを判定し、省電力モード中ならばリレースイッチ３７を開放して外部電話機４を電話回線３から切断する（Ｓ２０３）。また復帰要求手段２２は、省電力モード中に極性反転が検知されると、省電力モードからの復帰要求をファクシミリ制御部２０に出力する（Ｓ２０４）。
【００３４】
復帰要求を受けた全体制御部１１は、省電力モードから通常モードへの復帰動作を開始する（Ｓ２０５）。省電力モードからの復帰には数秒から数十秒かかる。この間、交換機２からは図７に示す周期で呼出信号が繰り返し到来する（Ｓ２０６）。しかし呼出信号が到来する前にリレースイッチ３７を開放して外部電話機４を電話回線３から切断してあるので、外部電話機４は鳴動しない（Ｓ２０７）。
【００３５】
省電力モードからの復帰が完了すると、全体制御部１１からファクシミリ制御部２０に省電力モードからの復帰通知がなされる（Ｓ２０８）。この復帰通知を受けた切断制御手段２３はリレースイッチ３７を短絡して外部電話機４を電話回線３に接続する（Ｓ２０９）。これにより次の呼出信号から外部電話機４が鳴動するようになる（Ｓ２１０）。着信検知手段２４は、切断制御手段２３がリレースイッチ３７を短絡状態にした時点から呼出検知信号４３の入力回数を計数し、予め設定された回数になると、着信検知を全体制御部１１に通知する（Ｓ２１１）。たとえば、鳴動回数が３回に設定されていれば、省電力モードからの復帰後に外部電話機４が３回鳴動した時点で着信検知が全体制御部１１に通知される。
【００３６】
着信検知を受けた全体制御部１１は、ファクシミリ制御部２０にオフフック要求を送出し（Ｓ２１２）、これを受けたファクシミリ制御部２０はオフフック信号４５をオンにし、電話回線３がファクシミリ通信部１５と接続されるようにＣＭＬリレー３２を切り替える（Ｓ２１３）。これにより直流ループが形成されると（Ｓ２１４）、それを検知した交換機２が再び電話回線３の極性を反転する（Ｓ２１５）。これによりコネクションが確率し、以後、ファクシミリの受信動作が行なわれる（Ｓ２１６）。
【００３７】
このように、極性反転を検知した時点で外部電話機４を電話回線３から切り離しかつ全体制御部１０に省電力モードからの復帰を要求し、復帰後に外部電話機４を電話回線３に再び接続するので、省電力モードからの復帰に要する時間の長短に係らず、設定された回数の鳴動後に着信することができる。
【００３８】
図３は、受信準備の整ったレディ状態になったことを確認した上で省電力モードからの復帰通知をファクシミリ制御部に通知する場合の追加処理の流れを示している。図２のＳ２０５に示した省電力モードからの復帰動作の完了後、全体制御部１０は、当該ファクシミリ装置１０がファクシミリ受信可能な状態にあるか否かをチェックする（ステップＳ３０１）。省電力モードはレディ状態でない場合の１つに含まれるが、省電力モードから復帰した後も他の要因によりファクシミリ受信できない場合がある。たとえば、紙無しやメモリフルなどの場合にはファクシミリ受信のできない非レディ状態と判定される。
【００３９】
他の要因による障害がなく省電力モードからの復帰により受信準備の整ったレディ状態になったときは（ステップＳ３０１；Ｙ）、ファクシミリ制御部２０に省電力モードからの復帰を通知する（図２、Ｓ２０８）。省電力モードから復帰してもメモリフルなどの要因でレディ状態にならない場合は（ステップＳ３０１；Ｎ）、鳴動に係るユーザ設定をチェックし（ステップＳ３０２）、その設定に従う動作を実行する。
【００４０】
たとえば、レディ状態でない場合に外部電話機４を鳴動させる旨のユーザ設定がなされているときは（ステップＳ３０３；Ｙ）、ファクシミリ制御部２０にリレースイッチ３７を短絡する旨の短絡指示を送出する（ステップＳ３０４）。これを受けたファクシミリ制御部２０は、リレースイッチ３７を短絡状態に戻す。これにより外部電話機４の鳴動が開始、ユーザが近くに居れば電話に出ることが可能になる。ただし、受信できないので、着信検知手段２４は呼出信号を計数せず、着信検知をファクシミリ制御部２０に通知しないようになっている。
【００４１】
レディ状態でない場合に無鳴動のままにする旨の設定がなされている場合は（ステップＳ３０３；Ｎ）、ファクシミリ制御部２０に無鳴動指示を送出する（Ｓ３０５）。これを受けたファクシミリ制御部２０は、呼出信号が継続している間はリレースイッチ３７を切断状態に保持し、呼出信号が途絶えたときは、次回の着信に備えてリレースイッチ３７を短絡状態に戻すようになっている。
【００４２】
このように省電力モードからの復帰後さらにファクシミリ装置１０がレディ状態か否かを判断することにより、紙無しやメモリフルによって受信できない場合の不要な鳴動を無くすことができる。
【００４３】
なお、受信モードが、ファクシミリ受信よりも電話としての使用を優先する電話優先モードに設定されている場合は、省電力モードか否かに係わらず常に電話回線３と外部電話機４とを接続した状態が維持される。
【００４４】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態ではファクシミリ装置を例に説明したが、電話回線を通じてデータや音声を受信する機能を備えた他の種類の受信装置にも本発明を適用することができる。
【００４５】
レディ状態にない場合には、たとえば、ファクシミリデータなどを保存する大容量の記憶装置を最適化したり、ウィルスチェックを施したりしているなどの事情で受信できない場合も含まれる。これらは紙無しなどと異なり、処理終了後にレディ状態に復帰し得る点で省電力モードと共通する。このように所定の処理の終了後にレディ状態に復帰し得る要因でレディ状態にない場合は、極性反転検知後の復帰要求送出が特に有効に作用する。
【図面の簡単な説明】
【００４６】
【図１】本発明の実施の形態に係るファクシミリ装置を示すブロック図である。
【図２】本発明の実施の形態に係るファクシミリ装置が省電力モード中に着信する場合の動作タイミングを示す説明図である。
【図３】本発明の実施の形態に係るファクシミリ装置が省電力モードからの復帰後にファクシミリ受信の可否を判定する場合の追加処理を示す流れ図である。
【図４】従来から使用されているファクシミリ装置の構成を示すブロック図である。
【図５】通常の着信検知タイミングを示す説明図である。
【図６】従来から使用されているファクシミリ装置における省電力モード中の着信検知タイミングを示す説明図である。
【図７】呼出信号およびその周期を示す波形図である。
【符号の説明】
【００４７】
２…交換機
３…電話回線
４…外部電話機
１０…ファクシミリ装置
１１…全体制御部
１２…読取部
１３…印刷部
１４…操作表示部
１５…ファクシミリ通信部
２０…ファクシミリ制御部
２１…極性反転検知手段
２２…復帰要求手段
２３…切断制御手段
２４…着信検知手段
３１…接続点
３２…ＣＭＬリレー
３３…極性検知部
３４…電流検知部
３５…接続点
３６…呼出信号検知部
３７…リレースイッチ
４１…極性検知信号
４２…ループ電流検知信号
４３…呼出検知信号
４４…外部電話接続信号
４５…オフフック信号
【図１】
2005086755.tif 000003
【図２】
2005086755.tif 000004
【図３】
2005086755.tif 000005
【図４】
2005086755.tif 000006
【図５】
2005086755.tif 000007
【図６】
2005086755.tif 000008
【図７】
2005086755.tif 000009